(57)【要約】【課題】排水溝の深さ方向に水質の異なる排水が発生した場合でも、異常な水質の排水を遮断して通常の水質の排水のみを流通させることができる緊急遮断用水門を提供する。【解決手段】異常な水質の排水を緊急に遮断するための緊急遮断用水門であって、排水溝の両側に対称的に直立する１対の立柱と、該１対の立柱間にわたって設置される複数の遮断板を備え、それぞれの遮断板の設置位置が排水溝の深さ方向に変更できて、排水溝の特定の深さ位置に開口部を設けることができることを特徴とする緊急遮断用水門。【選択図】図１
2013185299.tif 000002
【特許請求の範囲】
【請求項１】
異常な水質の排水を緊急に遮断するための緊急遮断用水門であって、排水溝の両側に対称的に直立する１対の立柱と、該１対の立柱間にわたって設置される複数の遮断板を備え、それぞれの遮断板の設置位置が排水溝の深さ方向に変更できるようになっていて、排水溝の特定の深さ位置に開口部を設けることができるようになっていることを特徴とする緊急遮断用水門。
【発明の詳細な説明】
【技術分野】
【０００１】
本発明は、工場等の排水溝（排水路）に設置して、工場等から発生した異常な水質の排水を緊急に遮断するための緊急遮断用水門に関するものである。
【背景技術】
【０００２】
工場等で異常な水質の排水が発生した場合、その異常な水質の排水を緊急に遮断する必要がある。そこで、工場等の排水溝に、その異常な水質の排水を緊急に遮断するための緊急遮断用水門が設置される。
【０００３】
工場等の排水溝に簡単な作業で設置することができる水門としては、例えば、特許文献１に記載のような、「水路の両側壁に接して対称的に直立する２本の立柱を構成し、該立柱のそれぞれに、内側に開口し、且つ上下に連通する条溝を構成し、該条溝の外側、上下２個所にそれぞれピン取付部を構成し、相対するピン間をそれぞれターンバックルで両側壁に圧着して固定保持すべくなし、前記条溝に複数本の止水板を着脱自在に装着すべくなした水位調整水門」がある。
【先行技術文献】
【特許文献】
【０００４】
【特許文献１】実開平０２−０２６６２６号公報
【発明の概要】
【発明が解決しようとする課題】
【０００５】
しかしながら、前記特許文献１に記載の水門を、異常な水質の排水を緊急に遮断するための緊急遮断用水門として使用した場合、以下のような問題が生じる。
【０００６】
すなわち、前記特許文献１に記載の水門は、水位調節を目的としたものであり、装着した最上段の止水板の上方から水を流通させるものであって、上方以外の特定の深さに位置する排水は止水されて、選択的に流通または遮断することができない。したがって、深さ方向に水質の異なる排水が発生し、上方の排水は通常の水質で、下方の排水が異常な水質の排水である場合は、下方の異常な水質の排水を遮断して上方の通常の水質の排水を流通させることができるので問題は生じないが、上方の排水が異常な水質の排水で、下方の排水は通常の水質の排水である場合や、上方と下方の排水が異常な水質の排水で、その中間の排水が通常の水質の排水である場合などでは、異常な水質の排水を流通させるという問題が生じる。
【０００７】
ちなみに、工場等における操業上のトラブルにより、懸濁物質や油分を含んだ異常な水質の排水が発生した場合、排水中の懸濁物質は排水溝の底部に沈降する場合が多く、また、排水中の油分は水に溶解せず水面に浮遊する場合が多い。
【０００８】
本発明は、上記のような事情に鑑みてなされたものであり、排水溝の深さ方向に水質の異なる排水が発生した場合でも、異常な水質の排水を遮断して通常の水質の排水のみを流通させることができる緊急遮断用水門を提供することを目的とするものである。
【課題を解決するための手段】
【０００９】
上記課題を解決するために、本発明は以下の特徴を有する。
【００１０】
［１］異常な水質の排水を緊急に遮断するための緊急遮断用水門であって、排水溝の両側に対称的に直立する１対の立柱と、該１対の立柱間にわたって設置される複数の遮断板を備え、それぞれの遮断板の設置位置が排水溝の深さ方向に変更できるようになっていて、排水溝の特定の深さ位置に開口部を設けることができるようになっていることを特徴とする緊急遮断用水門。
【発明の効果】
【００１１】
本発明の緊急遮断用水門においては、排水溝の特定の深さに位置する排水を選択的に流通・遮断することが可能であり、排水溝の深さ方向に水質の異なる排水が発生した場合でも、異常な水質の排水を遮断して通常の水質の排水のみを流通させることができる。
【図面の簡単な説明】
【００１２】
【図１】本発明の一実施形態に係る緊急遮断用水門を示す図である。
【図２】本発明の一実施形態に係る緊急遮断用水門の使用方法を示す図である。
【図３】本発明例と比較例と従来例を示す図である。
【発明を実施するための形態】
【００１３】
本発明の一実施形態を図面に基づいて説明する。
【００１４】
図１は本発明の一実施形態に係る緊急遮断用水門を示すものであり、図１（ａ）は正面図であり、図１（ｂ）は側面図である。
【００１５】
図１に示すように、本発明の一実施形態に係る緊急遮断用水門１０は、排水溝（図示せず）の両側壁に接するように対称的に直立する左右一対の立柱（ガイドレール）１１、１１と、その左右一対の立柱（ガイドレール）１１、１１間にわたって設置される複数の遮断板１３を備えている。ちなみに、図１では、遮断板１３として、上段（Ａ段）の遮断板１３Ａと、中段（Ｂ段）の遮断板１３Ｂと、下段（Ｃ段）の遮断板１３Ｃの３枚の遮断板１３を備えている。
【００１６】
そして、各遮断板１３にはそれぞれの上方および下方の遮断板１３と結合するための連結器１４が設けられているとともに、各遮断板１３の左右両側に対称的に小孔１５と吊上げ用突起物（フック）１６が設けられている。ちなみに、図１では、連結器１４として、遮断板１３Ａと遮断板１３Ｂを結合するための連結器１４ＡＢと、遮断板１３Ｂと遮断板１３Ｃを結合するための連結器１４ＢＣが設けられているとともに、吊上げ用突起物（フック）１６として、遮断板１３Ａに吊上げ用突起物１６Ａ、遮断板１３Ｂに吊上げ用突起物１６Ｂ、遮断板１３Ｃに吊上げ用突起物１６Ｃが設けられている。なお、吊上げ用突起物１６は逆Ｌ字形状が好ましい。
【００１７】
また、ガイドレール１１は遮断板１３を表裏から挟むように配置されていて、縦方向（排水溝の深さ方向）に複数の小孔１２が遮断板１３の小孔１５と左右の位置が合うように開けられており、ガイドレール１１の小孔１２と遮断板１３の小孔１５にピン１７を通して、遮断板１３をガイドレール１１に固定するようになっている。
【００１８】
さらに、最上段の遮断板１３Ａの上方には、チェーンによる吊上げ機構１９が設置されている。
【００１９】
これによって、この緊急遮断用水門１０においては、図２に側面図を示すように、それぞれの遮断板１３Ａ、１３Ｂ、１３Ｃの設置位置を排水溝の深さ方向に変更して、排水溝の特定の深さ位置に開口部１８を設けることができるようになっている。
【００２０】
すなわち、例えば、図２（ａ）に示すように、遮断板１３Ａと遮断板１３Ｂの間に開口部１８を設ける場合は、連結器１４ＡＢを切り離し、吊上げ用突起物１６Ａに吊上げ機構１９のチェーンを掛けて引き上げて、遮断板１３Ａが所望の高さに達したところで、遮断板１３Ａの小孔１５とガイドレール１１の小孔１２にピン１７を通して固定する。これによって、遮断板１３Ａと遮断板１３Ｂの間に開口部１８を設けることができる。
【００２１】
また、図２（ｂ）に示すように、遮断板１３Ｂと遮断板１３Ｃの間に開口部１８を設ける場合は、連結器１４ＡＢを連結した状態で連結器１４ＢＣを切り放し、吊上げ用突起物１６Ａまたは吊上げ用突起物１６Ｂに吊上げ機構１９のチェーンを掛けて引き上げて、連結した遮断板１３Ａと遮断板１３Ｂが所望の高さに達したところで、遮断板１３Ｂの小孔１５とガイドレール１１の小孔１２にピン１７を通して固定する。これによって、遮断板１３Ｂと遮断板１３Ｃの間に開口部１８を設けることができる。
【００２２】
さらに、図２（ｃ）に示すように、遮断板１３Ａと遮断板１３Ｂの間と遮断板１３Ｂと遮断板１３Ｃの間にそれぞれ開口部１８を設ける場合は、まず、連結器１４ＡＢを連結した状態で連結器１４ＢＣを切り離し、吊上げ用突起物１６Ａに吊上げ機構１９のチェーンを掛けて遮断板１３Ａおよび遮断板１３Ｂともに引き上げて、遮断板１３Ｂが所望の高さに達したところで、遮断板１３Ｂの小孔１５とガイドレール１１の小孔１２にピン１７を通して固定する。次に、吊上げ用突起物１６Ａに吊上げ機構１９のチェーンを掛けたまま連結器１４ＡＢを切り離して引き上げて、遮断板１３Ａが所望の高さに達したところで、遮断板１３Ａの小孔１５とガイドレール１１の小孔１２にピン１７を通して固定する。これによって、遮断板１３Ａと遮断板１３Ｂの間と遮断板１３Ｂと遮断板１３Ｃの間にそれぞれ開口部１８を設けることができる。
【００２３】
このようにして、この実施形態に係る緊急遮断用水門においては、各遮断板１３Ａ、１３Ｂ、１３Ｃの設置位置が排水溝の深さ方向に変更でき、排水溝の特定の深さ位置に開口部１８を設けることができるようになっているので、排水溝の特定の深さに位置する排水を選択的に流通・遮断することが可能である。したがって、排水溝の深さ方向に水質の異なる排水が発生した場合でも、遮断板で異常な水質の排水を遮断しながら、開口部から通常の水質の排水のみを流通させることができる。
【実施例１】
【００２４】
本発明の実施例として、排水溝に水門を設置して、懸濁沈殿物質（汚泥等）や浮遊物質（油膜等）を含んだ異常な水質の排水が発生した場合の緊急遮断性能を調査した。
【００２５】
その際、本発明例として、図３（ア）に示すように、上記の本発明の一実施形態に係る緊急遮断用水門１０を設置し、各遮断板１３の位置を調整して、遮断板１３Ｂと遮断板１３Ｃの間（水面と排水溝底の中間の深さ位置）に開口部１８を設けた。
【００２６】
これに対して、従来例１として、図３（イ）に示すように、水面に開口部を備えた水門を設置し、比較例として、図３（ウ）に示すように、排水溝底に開口部を備えた水門を設置した。また、図３（エ）に示すように、排水溝に水門を設置しなかった場合を従来例２とした。
【００２７】
その結果を表１に示す。
【００２８】
【表１】
2013185299.tif 000003
【００２９】
表１に示すように緊急遮断水門において、従来例１では、懸濁沈殿物質は遮断できたが、浮遊物質が通過してしまった。一方、比較例では、浮遊物質は遮断できたが、懸濁沈殿物質が通過してしまった。また、従来例２では、緊急遮断水門がないため、懸濁沈殿物質と浮遊物質のいずれも通過してしまった。したがって、従来例１、２および比較例はいずれも総合評価（緊急遮断性能）が不良であった。
【００３０】
これに対して、本発明例では、懸濁沈殿物質と浮遊物質の両方を遮断できて、通常の水質の排水のみを通過させることができた。したがって、本発明例は総合評価（緊急遮断性能）が良好であった。
【符号の説明】
【００３１】
１０  緊急遮断用水門
１１  立柱（ガイドレール）
１２  ガイドレールの小孔
１３  遮断板
１３Ａ  Ａ段の遮断板
１３Ｂ  Ｂ段の遮断板
１３Ｃ  Ｃ段の遮断板
１４  連結器
１４ＡＢ  遮断板１３Ａと遮断板１３Ｂの間の連結器
１４ＢＣ  遮断板１３Ｂと遮断板１３Ｃの間の連結器
１５  遮断板の小孔
１６  吊上げ用突起物（フック）
１６Ａ  遮断板１３Ａの吊上げ用突起物（フック）
１６Ｂ  遮断板１３Ｂの吊上げ用突起物（フック）
１６Ｃ  遮断板１３Ｃの吊上げ用突起物（フック）
１７  ピン
１８  開口部
１９  吊上げ機構
【図１】
2013185299.tif 000004
【図２】
2013185299.tif 000005
【図３】
2013185299.tif 000006